【手続補正書】
【提出日】平成18年8月2日(2006.8.2)
【手続補正１】
【補正対象書類名】明細書
【補正対象項目名】特許請求の範囲
【補正方法】変更
【補正の内容】
【特許請求の範囲】
【請求項１】  制限包絡線ディジタル通信送信回路（２２）であって、
連続する単位ボー間隔（６４）の各々について位相ポイントを生成するように構成された位相マッパ（４４）と、
前記位相マッパ（４４）に結合された、各位相ポイントからのエネルギーが複数の単位ボー間隔（６４）に渡って拡散する濾波された信号ストリーム（７４）を生成するように構成されている第１のパルス拡散性フィルタ（７６）と、
前記濾波された信号ストリーム（７４）に応答する入力を有し、かつ制限帯域幅エラー信号ストリーム（１０８）を生成するように構成されている第２のパルス拡散性フィルタ（１３４）と、
前記濾波された信号ストリーム（７４）と前記制限帯域幅エラー信号ストリーム（１０８）とを結合するように構成されている結合回路（１１０）と、
前記第１のパルス拡散性フィルタ（７６）及び結合回路（１１０）の間を接続する遅延素子（１３８）と、を備える、制限包絡線ディジタル通信送信回路。
【請求項２】  前記第１のパルス拡散性フィルタ（７６）は、パルス入力がある瞬間においてバーストのピークを発生させ、かつ実質的に前記バーストのピークから離れた整数の単位ボー間隔においてバーストのゼロを発生させるように構成されている、請求項１記載の制限包絡線ディジタル通信送信回路。
【請求項３】  前記第１及び第２のパルス拡散性フィルタ（７６、１３４）は各々、パルス入力がある瞬間においてバーストのピークを発生させ、かつ実質的に前記バーストのピークから離れた整数の単位ボー間隔においてバーストのゼロを発生させるように構成されている、請求項１記載の制限包絡線ディジタル通信送信回路。
【請求項４】  前記位相マッパ（４４）は、前記位相ポイントの一部分（６０）が前記位相ポイントの他の部分（６２）とは異なる規模を示すように構成されている、請求項１記載の制限包絡線ディジタル通信送信回路。
【請求項５】  前記結合回路（１１０）に結合された実質的に線形である増幅器（１４６）をさらに備える、請求項４記載の制限包絡線ディジタル通信送信回路。
【請求項６】  前記結合回路（１１０）は、前記濾波された信号ストリームと前記制限帯域幅エラー信号ストリームとを結合して前記濾波された信号ストリームのピーク規模成分を減少させるように構成されている、請求項１記載の制限包絡線ディジタル通信送信回路。
【請求項７】  前記第１及び第２のパルス拡散性フィルタ（７６、１３４）間に結合された、前記濾波された信号ストリームが閾値を超える規模を提示するとこれを同定するための手段（１２２）をさらに備える、請求項１記載の制限包絡線ディジタル通信送信回路。
【請求項８】  前記第１及び第２のパルス拡散性フィルタ（７６、１３４）間に結合された、前記濾波された信号ストリームが閾値を超える規模を提示するとパルスによって前記第２のパルス拡散性フィルタ（１３４）を駆動するための弁別回路（１２８）をさらに備え、前記パルスは、前記濾波された信号ストリームの規模と前記閾値とに応答する規模を有する、請求項１記載の制限包絡線ディジタル通信送信回路。
【請求項９】  前記位相マッパ（４４）に結合されたインターリーバ（４０）をさらに備える、請求項１記載の制限包絡線ディジタル通信送信回路。
【請求項１０】  ディジタル通信システム（２０）において、制限包絡線通信信号（２６）を送信するための方法であって、
（ａ）位相ポイントのストリーム（５０）を濾波して濾波された信号ストリーム（７４）を生成するステップを含み、前記濾波された信号ストリームは、複数の単位ボー間隔（６４）に渡って拡散された各位相ポイント（５４）からのエネルギーを有し、さらに、
（ｂ）前記濾波された信号ストリーム（７４）から制限帯域幅エラー信号ストリーム（１０８）を生成するステップと、
（ｃ）前記濾波された信号ストリーム（７４）を遅延させるステップと、
（ｄ）前記濾波された信号ストリーム（７４）を遅延させた後に、前記濾波された信号ストリーム（７４）と前記制限帯域幅エラー信号ストリーム（１０８）とを結合して制限包絡線信号ストリーム（１１２）を生成するステップと、
（ｅ）前記制限包絡線信号ストリーム（１１２）を増幅して前記制限包絡線通信信号（２６）を生成するステップと、
（ｆ）前記制限包絡線通信信号（２６）を送信することを含む方法。
【請求項１１】  前記ステップ（ｄ）は、前記濾波された信号ストリームのピーク規模成分を減少させる、請求項１０記載の方法。
【請求項１２】  前記ステップ（ｂ）は、
前記濾波された信号ストリーム（７４）に応答するエラーパルス（１３２）を供給することと、
前記エラーパルス（１３２）を濾波して前記制限帯域幅エラー信号ストリーム（１０８）を生成することを含み、前記制限帯域幅エラー信号ストリーム（１０８）は、複数の単位ボー間隔（６４）に渡って拡散された各エラーパルスからのエネルギーを有する、請求項１０記載の方法。
【請求項１３】  前記供給するステップは、前記濾波された信号ストリームが閾値（１２０）を超える規模を呈示すると少なくとも１つの前記エラーパルスを生成し、前記少なくとも１つのエラーパルスは、前記濾波された信号ストリームの規模と前記閾値とに応答する規模を有する、請求項１２記載の方法。
【請求項１４】  前記位相ポイントのストリームを濾波するステップ（ａ）は、前記位相ポイントの１つがある第１の瞬間においてデータバーストのピークを発生させ、かつ実質的に前記データバーストのピークから離れた整数の単位ボー間隔においてデータバーストのゼロを発生させるように構成され、
前記エラーパルスを濾波するステップは、前記エラーパルスの１つがある第１の瞬間にエラーバーストのピークを発生させ、かつ実質的に前記エラーバーストのピークから離れた整数の単位ボー間隔においてエラーバーストのゼロを発生させるように構成されている、請求項１２記載の方法。
【請求項１５】  前記濾波された信号ストリームが限界信号（１２０）を超える規模を呈示すると、これを同定するステップをさらに備える、請求項１０記載の方法。
【請求項１６】  ディジタル通信システム（２０）において、制限包絡線通信信号（２６）を送信するための方法であって、
（ａ）パルス拡散性フィルタを介して位相ポイントのストリーム（５０）を濾波し、濾波された信号ストリーム（７４）を生成するステップを含み、前記濾波された信号ストリームは、複数の単位ボー間隔（６４）に渡って拡散された各位相ポイント（５４）からのエネルギーを有し、さらに
（ｂ）前記濾波された信号ストリームが限界信号（１２０）を超える規模を呈示する局部ピーク規模を同定するステップと、
（ｃ）前記同定するステップｂ）において同定された各局部ピーク規模についてエラーパルスを生成するステップと、
（ｄ）前記エラーパルスからのエネルギーを複数の単位ボー間隔に渡って拡散させ、制限帯域幅エラー信号ストリームを生成するステップと、
（ｅ）前記濾波された信号ストリーム（７４）を遅延させるステップと、
（ｆ）前記制限帯域幅エラー信号ストリームを前記濾波された信号ストリームに結合して前記局部ピーク規模を低減させることを含む方法。
【請求項１７】  前記濾波するステップ（ａ）は、前記位相ポイントの１つがある第１の瞬間においてデータバーストのピークを発生させ、かつ実質的に前記データバーストのピークから離れた整数の単位ボー間隔においてデータバーストのゼロを発生させるように構成され、
前記ステップ（ｄ）は、前記エラーパルスの１つがある第１の瞬間においてエラーバーストのピークを発生させ、かつ実質的に前記エラーバーストのピークから離れた整数の単位ボー間隔においてエラーバーストのゼロを発生させるように構成されている、請求項１６記載の方法。